(57)【要約】【課題】電灯動力共用接地方式の電源設備に対し、漏電遮断器の誤動作を防止しつつ、ノイズフィルタを小型にすることができる漏洩電流低減装置を提供する。【解決手段】電灯動力共用接地方式の電源の各相と電子機器とを接続した配線の経路に接続された漏電遮断器と、漏電遮断器と前記電子機器との間で、配線の各々と接地とに接続されたコンデンサと、漏電遮断器と電子機器との間で、配線にかかる接地間電圧を検出する電圧検出装置と、接地間電圧を、電子機器側からコンデンサを介して接地に流れる電流の電源周波数成分と反対位相かつ同振幅を有する漏洩防止電流に変換し、漏洩防止電流を、電子機器に対して漏電遮断器側から電源用接地線に向けて供給する電流供給装置とを備えた。【選択図】図１
2010172087.tif 000002
【特許請求の範囲】
【請求項１】
電灯動力共用接地方式の電源の各相と電子機器とを接続した配線の経路に接続された漏電遮断器と、
前記漏電遮断器と前記電子機器との間で、前記配線の各々と接地とに接続されたコンデンサと、
前記漏電遮断器と前記電子機器との間で、前記配線にかかる接地間電圧を検出する電圧検出装置と、
前記接地間電圧を、前記電子機器側から前記コンデンサを介して前記接地に流れる電流の前記電源周波数成分と反対位相かつ同振幅を有する漏洩防止電流に変換し、
前記漏洩防止電流を、前記電子機器に対して前記漏電遮断器側から電源用接地線に向けて供給する電流供給装置と、
を備えたことを特徴とする漏洩電流低減装置。
【請求項２】
前記電圧検出装置は、前記漏電遮断器と前記電子機器との間で、前記配線の各々にかかる接地間電圧を検出し、
前記電流供給装置は、前記漏電遮断器と前記電子機器との間で前記配線の各々にかかる接地間電圧を合成して生成した合成電圧を得ることを特徴とする請求項１記載の漏洩電流低減装置。
【請求項３】
前記漏電遮断器と前記コンデンサとの間で、前記電流供給装置と前記配線の各々とを接続するために設けられたスイッチと、
前記スイッチの開閉を制御するスイッチ選択装置と、
を備え、
前記スイッチ選択装置は、前記電流供給装置といずれかの相の配線との間のスイッチを閉じるとともに、前記いずれかの相の配線以外の配線との間のスイッチを開き、前記漏洩防止電流が前記電子機器に対して前記漏電遮断器側から前記電源用接地線に流れる経路を確立することを特徴とする請求項２記載の漏洩電流低減装置。
【請求項４】
電源の各相と電子機器とを接続した配線の経路に接続された漏電遮断器と、
前記漏電遮断器と前記電子機器との間で、前記配線の各々と接地とに接続されたコンデンサと、
前記漏電遮断器と前記電子機器との間で、前記配線の各々にかかる接地間電圧を検出する電圧検出装置と、
前記接地間電圧を合成して合成電圧を生成する加算装置と、
前記合成電圧を、前記配線の前記電子機器側から前記コンデンサを介して前記接地に流れる電流の前記電源の周波数成分と反対位相かつ任意の振幅を有する漏洩防止電流に変換する電流供給装置と、
前記漏電遮断器と前記コンデンサとの間で、前記電流供給装置と前記配線の各々とを接続するために設けられたスイッチと、
前記配線の中で相対的に大きい接地間電圧を有した配線の数が１つの場合は、前記電流供給装置と前記相対的に大きい接地間電圧を有した配線以外の配線との間のスイッチを開くとともに、前記電流供給装置と前記相対的に大きい接地間電圧を有した配線との間のスイッチを閉じ、
前記配線の中で相対的に大きい接地間電圧を有した配線の数が２つの場合は、前記電流供給装置と前記相対的に大きい接地間電圧を有した配線との間のスイッチを開くとともに、前記電流供給装置と前記相対的に大きい接地間電圧を有した配線以外の配線との間のスイッチを閉じ、
前記漏洩防止電流が、閉じたスイッチに接続された配線の前記電子機器に対して前記漏電遮断器側から前記電源用接地線に流れる経路を確立するスイッチ選択装置と、
を備えたことを特徴とする漏洩電流低減装置。
【請求項５】
前記電流供給装置は、
前記合成電圧の位相を変化させ、移相合成電圧を生成する移相変換装置と、
前記移相合成電圧を増幅し、電流生成電圧を生成する増幅装置と、
前記電流生成電圧を前記漏洩防止電流に変換する電流変換装置と、
を備え、
前記移相変換装置は、前記移相合成電圧の振幅を、前記合成電圧の周波数に比例させて生成することを特徴とする請求項２〜請求項４のいずれかに記載の漏洩電流低減装置。
【発明の詳細な説明】
【技術分野】
【０００１】
この発明は、電源の各相と接地との間に設けられた接地コンデンサを通って流れる漏洩電流を低減する漏洩電流低減装置に関するものである。
【背景技術】
【０００２】
従来、電灯動力共用接地方式の商用交流三相電源とモータ駆動制御回路との間には、漏電遮断器、ノイズフィルタが設けられる。漏電遮断器は、電源の三相以外に電流が漏洩した場合に動作し、漏電を防止する機能を備える。ノイズフィルタは、モータ駆動制御回路から電源にノイズが流れることを防止する機能を備える。具体的には、ノイズフィルタは、接地コンデンサ、リアクトルを備える。ノイズフィルタで、効果的にノイズの流出を防止するには、発生したノイズ電流を接地コンデンサに極力多く流し、リアクトルに流れる電流を極力少なくすることが求められる。即ち、コンデンサの容量を大きくするか、リアクトルのインダクタンスを大きくする必要がある。
【０００３】
しかし、電源の接地を取った場合、接地コンデンサに電源電圧が印加される。このため、接地コンデンサの容量を一定値以上に大きくした場合、対地に大きな電流が流れ、漏電遮断器が誤動作してしまうという問題があった。一方、リアクトルのインダクタンスを大きくした場合は、リアクトル自体の大型化が必要となり、ノイズフィルタサイズの大型化、コスト高につながるという問題があった。
【０００４】
ここで、２００Ｖ系の一相接地方式の商用交流三相電源設備に対し、トランスを使って、漏洩防止電流を生成し、接地コンデンサを介して接地に流れる漏洩電流を打ち消す方法が提案されている。これにより、漏電遮断器の誤動作が防止される（例えば、特許文献１参照）。
【０００５】
【特許文献１】特開平６−２６１４４２号公報
【発明の開示】
【発明が解決しようとする課題】
【０００６】
しかし、特許文献１記載のものにおいても、トランスの小型化が困難であった。かかる困難性は、電灯動力共用接地方式の電源設備に対して適用する場合でも同様であった。
【０００７】
この発明は、上述のような課題を解決するためになされたもので、その目的は、電灯動力共用接地方式の電源設備に対し、漏電遮断器の誤動作を防止しつつ、ノイズフィルタを小型にすることができる漏洩電流低減装置を提供することである。
【課題を解決するための手段】
【０００８】
この発明に係る漏洩電流低減装置は、電灯動力共用接地方式の電源の各相と電子機器とを接続した配線の経路に接続された漏電遮断器と、前記漏電遮断器と前記電子機器との間で、前記配線の各々と接地とに接続されたコンデンサと、前記漏電遮断器と前記電子機器との間で、前記配線にかかる接地間電圧を検出する電圧検出装置と、前記接地間電圧を、前記電子機器側から前記コンデンサを介して前記接地に流れる電流の前記電源周波数成分と反対位相かつ同振幅を有する漏洩防止電流に変換し、前記漏洩防止電流を、前記電子機器に対して前記漏電遮断器側から電源用接地線に向けて供給する電流供給装置とを備えたものである。
【発明の効果】
【０００９】
この発明によれば、電灯動力共用接地方式の電源設備に対し、漏電遮断器の誤動作を防止しつつ、ノイズフィルタを小型にすることができる。
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における漏洩電流低減装置の全体構成図である。
図１において、１は電源である。この電源１は、電灯動力共用接地方式の商用交流三相電源である。２は電源用接地線である。この電源用接地線２は、電源１の電位を安定化させるため、電源１を接地する機能を備える。３は電子機器である。この電子機器３は、コンバータ４、平滑コンデンサ５、インバータ６、モータ７を備える。コンバータ４は、電源１の交流電圧を直流電圧に変換する機能を備える。平滑コンデンサ５は、コンバータ４が変換した直流電圧を平滑化する機能を備える。インバータ６は、平滑コンデンサ５が平滑化した直流電圧を交流電圧に変換する機能を備える。モータ７は、インバータ６が出力する交流電圧により駆動する機能を備える。８はモータ用接地線である。このモータ用接地線８は、ユーザの感電を防止するため、モータ７の電位を安定化する機能を備える。
【００１２】
９は配線である。これらの配線９は、電源１の各相と電子機器３とを接続する。１０は漏電遮断器である。この漏電遮断器１０は、配線９の経路に接続される。そして、漏電遮断器１０は、配線９の経路以外にある一定以上の電流が漏洩した場合に動作する機能を備える。１１はノイズフィルタである。このノイズフィルタ１１は、相間コンデンサ（図示せず）、リアクトル１２、接地コンデンサ１３を備える。このノイズフィルタ１１は、漏電遮断器１０と電子機器３との間で、配線９の各々に接続される。このノイズフィルタ１１は、主にインバータ６が発生するノイズが電源１に流出することを防止する機能を備える。１４はノイズフィルタ用接地線である。このノイズフィルタ用接地線１４は、接地することで高周波の漏洩電流を接地コンデンサに流し、電源系統に流れる漏洩電流を低減する機能を備える。
【００１３】
上記構成の装置において、ノイズの電流経路として、２つの回路ループが考えられる。具体的には、回路ループの一つは、ノイズ源から、接地コンデンサ１３、ノイズフィルタ用接地線１４、接地経路（図示せず）を経由してノイズ源に戻る第１回路ループである。また、回路ループのもう一つは、ノイズ源から、リアクトル、電源用接地線２、接地回路（図示せず）を経由して、ノイズ源に戻る第２回路ループである。
【００１４】
上記ノイズの電源１系統への流出をノイズフィルタ１１で効率的に防止するには、発生したノイズ電流の極力多くを第１回路ループに流し、第２回路ループに流れる電流を極力低減することが求められる。ここで、両回路ループに流れる電流の分流比は、両回路ループのインピーダンス比で決定される。このため、第１回路ループのインピーダンスを、第２回路ループのインピーダンスと比較して極力小さくすることが望まれる。即ち、接地コンデンサ１３の容量を大きくし、第１回路ループのインピーダンスを小さくするか、リアクトル１２のインダクタンスを大きくし、第２回路ループのインピーダンスを大きくする必要がある。しかし、接地コンデンサ１３には、電源１の出力電圧が印加される。従って、接地コンデンサ１３の容量を一定値以上に大きくした場合は、対地に大きな漏洩電流が流れ、漏電遮断器１０が誤動作する。かかる誤動作が発生すると、モータ７の制御を行うことが不可能となってしまう。
【００１５】
そこで、本実施の形態においては、漏洩電流を打ち消すために、漏洩電流低減装置が設けられる。この漏洩電流低減装置は、電圧検出装置１５、電流供給装置１６、電源相選択スイッチ１７、スイッチ選択装置１８を備える。電圧検出装置１５は、配線９の各々にかかる相電位と接地間電圧とを検出する機能を備える。電流供給装置１６は、加算反転装置１９、移相変換装置２０、増幅装置２１、電流変換装置２２を備える。加算反転装置１９は、電圧検出装置１５が検出した接地間電圧を合成して合成電圧を生成する機能を備える。また、加算反転装置１９は、合成電圧の位相を反転させる機能を備える。移相変換装置２０は、微分回路からなる。そして、移相変換装置２０は、合成電圧の位相をさらに９０度回転させ、移相合成電圧を生成する機能を備える。増幅装置２１は、移相合成電圧を増幅し、電流生成電圧を生成する機能を備える。電流変換装置２２は、電流アンプからなる。この電流変換装置２２は、電流生成電圧を漏洩防止電流に変換する機能を備える。
【００１６】
電源相選択スイッチ１７は、漏電遮断器１０と接地コンデンサ１３との間で、電流変換装置２２と配線９の各々とを接続するために設けられる。スイッチ選択装置１８は、電圧検出装置１５の出力から各配線９の接地間電圧を検出する機能を備える。そして、スイッチ選択装置１８は、各配線９の接地間電圧に基づいて電源相選択スイッチ１７の開閉を制御し、電流変換装置２２の出力先を選択する接地相判定装置として機能する。具体的には、スイッチ選択装置１８は、電流供給装置１６と相対的に大きい接地間電圧を有した配線９以外の配線９との間の電源相選択スイッチ１７を開くとともに、電流供給装置１６と相対的に大きい接地間電圧を有した配線９との間の電源相選択スイッチ１７を閉じる機能を備える。かかる動作により、スイッチ選択装置１８は、漏洩防止電流が相対的に大きい接地間電圧を有した配線９の漏電遮断器１０側から接地へ流れる経路を確立する。以下、図２〜図５を用いて、本実施の形態における漏洩電流の打ち消し方法をより詳細に説明する。
【００１７】
まず、図２を用いて、本実施の形態の電源１をより詳細に説明する。
図２はこの発明の実施の形態１における漏洩電流低減装置が利用される電源の電気回路図である。
図２においては、２３は電源１の第１相に対応する動力負荷用端子である。この第１相は、電源１の基準相となるものである。２４は電源１の第２相に対応する動力負荷用端子である。この第２相は、第１相に対して１２０度の位相差を有する相である。２５は電源１の第３相に対応する動力負荷用端子である。この第３相は、第２相に対して、さらに１２０度の位相差を有する相である。この結果、第１相は、第３相に対して１２０度の位相差を有することになる。これにより、電源１は、三相交流電源となる。即ち、各端子２３〜２５が利用され、動力負荷に電力が供給される。かかる電源１の電源用接地線２は、第２及び第３相の中間位置から引き出されて接地される。この電源用接地線２から単相負荷用端子２６が引き出される。この単相負荷用端子２６と動力負荷用端子２３〜２５のいずれかが利用され、単相負荷に電力が供給される。かかる構成により、電灯動力共用接地方式の電源１が構成される。
【００１８】
次に、図３〜図５を用いて、本実施の形態の漏洩電流低減装置の動作を説明する。
図３はこの発明の実施の形態１における漏洩電流低減装置が利用される電源の各相の電圧を示す図である。図４はこの発明の実施の形態１における漏洩電流低減装置の加算反転装置及び移相変換装置が出力する電圧を示す図である。図５はこの発明の実施の形態１における漏洩防止電流と漏洩電流とを示す図である。
図３〜図５の横軸は、同一時間を表す軸である。図３及び図４の縦軸は、電圧値を表す軸である。図５の縦軸は、電流値を表す軸である。
図３において、２７は電源１の第１相の出力電圧である。２８は電源１の第２相の出力電圧である。２９は電源１の第３相の出力電圧である。図４において、３０は加算反転装置１９の出力電圧である。３１は移相変換装置２０の出力電圧である。図５において、３２は漏洩防止電流である。３３は漏洩電流である。
【００１９】
上述したように、電源１は、第２相と第３相との中間で、電源用接地線２により接地される。このため、図３に示すように、電源１の第２及び第３相の出力電圧２８、２９は、互いに正負が逆転した関係となる。従って、加算反転装置１９では、電源１の第２及び第３相の出力電圧が打ち消し合う。このため、合成電圧は、電源１の第１相の出力電圧の値となる。そして、図４に示すように、加算反転装置１９は、合成電圧を反対位相にした出力電圧３０を生成する。その後、移相変換装置２０が、反対位相になった合成電圧の位相をさらに９０度進め、移相合成電圧を生成する。このとき、移相変換電圧２０は、移相合成電圧の振幅を、合成電圧の周波数に比例させて生成する。そして、移相変換装置２０は、移相合成電圧を出力電圧として出力する。かかる出力電圧は、増幅装置２１により増幅される。そして、増幅装置２１は、増幅した出力電圧を、電流生成電圧３１として出力する。その後、図５に示すように、電流生成電圧３１は、電流変換装置２２により漏洩防止電流３２に変換される。
【００２０】
ここで、電源１の第２及び第３相と電子機器３とを接続する配線９から接地に流れる漏洩電流成分は、互いに打ち消し合う。このため、漏洩電流３３は、電源１の第１相と電子機器３とを接続する配線９から接地に流れる漏洩電流成分のみとなる。この漏洩電流３３の位相は、接地コンデンサ１３のインピーダンス特性により、電圧の第１相の接地間電圧の位相よりも９０度遅れたものとなる。従って、漏洩防止電流３２と漏洩電流３３とは、互いに反対位相の関係にある。そして、漏洩防止電流３２の振幅は、増幅装置２１の増幅度を設定することで、漏洩電流３３と振幅と同等となるように調整される。かかる調整により、漏洩防止電流３２が漏洩電流３３を打ち消すことになる。
【００２１】
そして、スイッチ選択装置１８は、各配線９の接地間電圧に基づいて、電流供給装置１６と相対的に大きい接地間電圧を有した配線９として電源１の第１相に対応した配線９を選定する。そして、スイッチ選択装置１８は、電流供給装置１６と電源１の第２及び第３相に対応した配線９との間の電源相選択スイッチ１７を開くとともに、電流供給装置１６と電源１の第１相に対応した配線９との間の電源相選択スイッチ１７を閉じる。かかる動作により、スイッチ選択装置１８は、漏洩防止電流３２が電源１の第１相に対応した配線９の漏電遮断器１０側から接地へ流れる経路を確立する。
【００２２】
上記機能を備えた漏洩電流低減装置は、以下の手順により容易に設置可能となっている。即ち、電圧検出装置１５、電流供給装置１６、電源相選択スイッチ１７、スイッチ選択装置１８は、工場等の製作現場で、予めユニット化される。そして、ユニット化された機器が、漏洩電流低減装置の設置現場に搬入される。その後、電圧検出装置１５と各配線９とが一対一に対応して接続される。最後に、電源相選択スイッチ１７が、電流供給装置１６と各配線９との間に設けられる。このとき、電圧検出装置１５と各配線９とは、電源１の各相を考慮することなく接続される。そして、電圧検出装置１５に対応して、電源相１７の配置が決定される。
【００２３】
以上で説明した実施の形態１によれば、電流供給装置１６は、漏洩防止電流３２を、相対的に大きい接地間電圧を有した配線９の漏電遮断器１０側から接地に向けて供給する。このため、接地コンデンサ１３の容量を大きくしても、前記電源用接地線２に漏洩電流３３が流れることを防止できる。即ち、漏電遮断器１０の誤動作を防止しつつ、ノイズフィルタ１１全体のサイズ、コストを削減することができる。これにより、電源設備周辺の機器等の耐久性が向上する。また、本実施の形態の漏洩電流低減装置は、トランスを使うことなく、電子回路で実現される。このため、漏洩電流低減装置自体の小型化も可能となる。また、これに伴い、漏洩電流低減装置の包装の小型化が可能となる。
【００２４】
さらに、電圧検出装置１５が、漏電遮断器１０と電子機器３との間で、配線９の各々にかかる接地間電圧を検出する。そして、電流供給装置１６が、漏電遮断器１０と電子機器３との間で配線９の各々にかかる接地間電圧を合成して生成した合成電圧から、相対的に大きい接地間電圧を得る。このため、電源１の相を配慮することなく、電圧検出装置１５を各配線９に接続することができる。即ち、設置現場での配線ミスを防止することができる。
【００２５】
加えて、スイッチ選択装置１８が、電流供給装置１６と相対的に大きい接地間電圧を有した配線９以外の配線９との間の電源相選択スイッチ１７を開くとともに、電流供給装置１６と相対的に大きい接地間電圧を有した配線９との間の電源相選択スイッチ１７を閉じる。これにより、漏洩防止電流３２が相対的に大きい接地間電圧を有した配線９の漏電遮断器１０側から接地に流れる経路が確立される。このため、電源１の相を配慮することなく、電源相選択スイッチ１７を各配線９に接続することができる。即ち、設置現場での配線ミスを防止することができる。
【００２６】
また、移相変換装置２０が、移相合成電圧の振幅を、合成電圧の周波数に比例させて生成する。従って、商用周波数が高く接地コンデンサ１３のインピーダンスが減少し、漏洩電流３３が増加する場合であっても、増幅装置２１の増幅度を変更する必要がない。このため、１種類の漏洩電流低減装置で、容易に異なる電源周波数に対応することができる。
【００２７】
実施の形態２．
図６はこの発明の実施の形態２における漏洩電流低減装置が一接地方式の電源に利用された場合の全体構成図である。なお、実施の形態１と同一又は相当部分には同一符号を付して説明を省略する。
実施の形態１においては、電灯動力共用接地方式の電源１に利用した漏洩電流低減装置を説明した。実施の形態２においては、電灯動力共用及び一接地方式の電源双方に共用できる漏洩電流低減装置を説明する。以下、実施の形態２に特有の構成を説明する。
【００２８】
まず、図６を用いて、電流低減装置を一接地方式の電源に利用した場合の漏洩電流を打ち消す方法について説明する。
図６において、３４は一接地方式の電源である。
この電源３４の中性点基準のＲ相電圧ＶＲＮ、Ｓ相電圧ＶＳＮ、Ｔ相電圧ＶＴＮを仮定する。なお、Ｓ相電圧ＶＳＮは、Ｒ相電圧ＶＲＮよりも位相が１２０度遅れている。また、Ｔ相電圧ＶＴＮは、Ｓ相電圧ＶＳＮよりも位相が１２０度遅れている。かかる条件の下では、Ｒ相電圧ＶＲＮ、Ｓ相電圧ＶＳＮ、Ｔ相電圧ＶＴＮは、（１）〜（３）式で表される。
【数１】
2010172087.tif 000003
【００２９】
図６においては、Ｔ相が接地されている。そこで、Ｒ相電圧ＶＲＮ、Ｓ相電圧ＶＳＮ、Ｔ相電圧ＶＴＮを、Ｔ相基準の相電圧２８に変換する。変換後のＲ相電圧ＶＲＴ、Ｓ相電圧ＶＳＴ、Ｔ相電圧ＶＴＴは、（４）〜（６）式で表される。
【数２】
2010172087.tif 000004
【００３０】
ここで、電源３４の中性点基準のＲ相電圧ＶＲＮ、Ｓ相電圧ＶＳＮ、Ｔ相電圧ＶＴＮの振幅は、互いに等しいとすると、（７）式が成り立つ。
【数３】
2010172087.tif 000005
【００３１】
（４）〜（６）式において、（７）の条件を考慮すると、変換後のＲ相電圧ＶＲＴ、Ｓ相電圧ＶＳＴ、Ｔ相電圧ＶＴＴは、（８）〜（１０）式で表される。
【数４】
2010172087.tif 000006
【００３２】
一方、接地コンデンサ１３の容量を、Ｃ１〜Ｃ３とすると、接地コンデンサ１３のインピーダンスＺＣ１〜ＺＣ３と電源３４の角周波数ωとの間には、（１１）〜（１３）式の関係が成り立つ。
【数５】
2010172087.tif 000007
【００３３】
ここで、電源３４の周波数においては、リアクトル１２のインピーダンスは、ほぼ零とみなすことができる。このため、接地コンデンサ１３に流れる電流は、接地コンデンサ１３のインピーダンスによりほぼ決定される。即ち、各接地コンデンサ１３に流れる電流ＩＣ１〜ＩＣ３は、（８）〜（１３）式から、（１４）〜（１６）式で表される。
【数６】
2010172087.tif 000008
【００３４】
ここで、各接地コンデンサ１３の容量には、（１７）式が成り立つとする。
【数７】
2010172087.tif 000009
【００３５】
そして、各接地コンデンサ１３に流れる電流の和が漏洩電流となる。よって、漏洩電流ＩＮは、（１８）式で表される。
【数８】
2010172087.tif 000010
【００３６】
一方、（８）式、（９）式より、加算反転装置１９に合成された合成電圧ＶＳＵＭは、電圧検出装置１５の電圧検出感度をＫＤとすると、（１９）式に表される。
【数９】
2010172087.tif 000011
【００３７】
この合成電圧ＶＳＵＭは、加算反転装置１９により反対位相になる。そして、移相変換装置２０が、反対位相となった合成電圧ＶＳＵＭの位相が９０度回転し、合成電圧の周波数に比例させて移相合成電圧を生成する。即ち、移相後の移相合成電圧ＶＤは、（２０）式で表される。
【数１０】
2010172087.tif 000012
【００３８】
ここで、増幅装置２１の増幅度をＫＧ、電流変換装置２２の抵抗値をＲＩとする。この場合、接地相に流れる電流ＩＥは、（２１）式で表される。
【数１１】
2010172087.tif 000013
【００３９】
従って、漏洩電流を打ち消すように、（２２）式の関係を満たすようなＫGが選定される。
【数１２】
2010172087.tif 000014
【００４０】
実施の形態２においては、増幅装置２１の増幅度は任意に設定可能である。そして、電灯動力共用接地方式の電源１に利用される場合は、実施の形態１と同様の漏洩防止電流３２を生成するように、増幅装置２１の増幅度が調整される。一方、一接地方式の電源３４に利用される場合は、上記で説明した漏洩防止電流を生成するように、増幅装置２１の増幅度が調整される。
【００４１】
上記構成の漏洩電流低減装置においては、配線９の中で相対的に大きい接地間電圧を有した配線９の数が１つの場合、スイッチ選択装置１８は、電灯動力共用接地方式の電源１に利用されていると判断する。そして、スイッチ選択装置１８は、電流供給装置１６と相対的に大きい接地間電圧を有した配線９以外の配線９との間の電源相選択スイッチ１７を開く。また、これと同時に、スイッチ選択装置１８は、電流供給装置１６と相対的に大きい接地間電圧を有した配線９との間の電源相選択スイッチ１７を閉じる。かかる動作により、スイッチ選択装置１８は、漏洩防止電流３２が閉じた電源相選択スイッチ１７に接続された配線９の漏電遮断器１０側から接地に流れる経路を確立する。
【００４２】
一方、配線９の中で相対的に大きい接地間電圧を有した配線９の数が２つの場合、スイッチ選択装置１８は、一接地方式の電源３４に利用されていると判断する。そして、スイッチ選択装置１８は、電流供給装置１６と相対的に大きい接地間電圧を有した配線９との間の電源相選択スイッチ１７を開く。また、これと同時に、スイッチ選択装置１８は、電流供給装置１６と相対的に大きい接地間電圧を有した配線９以外の配線９との間の電源相選択スイッチ１７を閉じる。これにより、スイッチ選択装置１８は、漏洩防止電流の流出経路を確立する。かかる動作により、スイッチ選択装置１８は、漏洩防止電流が閉じた電源相選択スイッチ１７に接続された配線９の漏電遮断器１０側から接地に流れるような経路を確立する。
【００４３】
以上で説明した実施の形態２によれば、電源１等の接地方式に適した漏洩防止電流を、電源１等の接地方式に適した配線９から接地に供給することができる。このため、１種類の漏洩電流低減装置で、電灯動力共用接地方式及び一相接地方式の電源１、３４双方に対応することができる。
【図面の簡単な説明】
【００４４】
【図１】この発明の実施の形態１における漏洩電流低減装置の全体構成図である。
【図２】この発明の実施の形態１における漏洩電流低減装置が利用される電源の電気回路図である。
【図３】この発明の実施の形態１における漏洩電流低減装置が利用される電源の各相の電圧を示す図である。
【図４】この発明の実施の形態１における漏洩電流低減装置の加算反転装置及び移相装置が出力する電圧を示す図である。
【図５】この発明の実施の形態１における漏洩電流と漏洩防止電流を示す図である。
【図６】この発明の実施の形態２における漏洩電流低減装置が一接地方式の電源に利用された場合の全体構成図である。
【符号の説明】
【００４５】
１  電源、  ２  電源用接地線、  ３  電子機器、  ４  コンバータ、
５  平滑コンデンサ、  ６  インバータ、  ７  モータ、  ８  モータ用接地線、
９  配線、  １０  漏電遮断器、  １１  ノイズフィルタ、  
１２  リアクトル、  １３  接地コンデンサ、  
１４  ノイズフィルタ用接地線、  １５  電圧検出装置、  １６  電流供給装置、
１７  電源相選択スイッチ、  １８  スイッチ選択装置、１９  加算反転装置、
２０  移相変換装置、  ２１  増幅装置、  ２２  電流変換装置、
２３〜２５  動力負荷用端子、  ２６  単相負荷用端子、  
２７  電源の第１相の出力電圧、  ２８  電源の第２相の出力電圧、
２９  電源の第３相の出力電圧、  ３０  加算反転装置の出力電圧、
３１  移相反転装置の出力電圧、  ３２  漏洩電流、  ３３  漏洩防止電流、  
３４  電源
【図１】
2010172087.tif 000015
【図２】
2010172087.tif 000016
【図３】
2010172087.tif 000017
【図４】
2010172087.tif 000018
【図５】
2010172087.tif 000019
【図６】
2010172087.tif 000020